(57)【要約】【課題】  本発明は眉毛を短時間で化粧できることに加え、顔全体から見た眉毛の左右上下の均整が取れ、色の濃さの調整が簡単にできることを目的としている。【解決手段】  額に押し当てて使用され、フレーム状に形成された枠へ左右両側よりスライド可能にはめ込まれた一対の板体により、目頭位置表示部に合わせて位置を決め目頭から眉頭をつなぐ位置表示部にて位置確認し、頭部へ帯状の固定具にて固定し、眉毛型の型抜きされた部分へ直接スプレーにて吹きつけつようにして化粧するものである。【選択図】          図１
2006247012.tif 000002
【特許請求の範囲】
【請求項１】
額に押し当てて使用され、フレーム状に形成された枠と、上記枠に左右両側よりスライド可能にはめ込まれた一対の板体と、上記一対の板体の所定位置に夫々形成された一対の眉毛型開口部とを具備したことを特徴とする眉毛の化粧補助具。
【請求項２】
請求項１記載の化粧補助具において、上記一対の板体には、所定位置に目頭位置表示部が設けられていることを特徴とする眉毛の化粧補助具。
【請求項３】
請求項１記載の化粧補助具において、上記一対の板体には、目頭から眉頭をつなぐ位置表示部が設けられていることを特徴とする眉毛の化粧補助具。
【請求項４】
フレーム状に形成された枠の裏側の両端に頭部へ固定するための帯状の固定具を通す開口部を設け、頭部へ固定具にて固定することを特徴とする眉毛の化粧補助具。
【請求項５】
上記化粧補助具を使用し、一対の眉毛型開口部へ直接スプレー式のものを用い、吹き付けて眉毛を描くということを特徴とする眉毛の化粧方法。
【発明の詳細な説明】
【技術分野】
【０００１】
本発明は、眉毛の化粧補助具、及び化粧方法に関するものであり、短時間で顔全体に合う均整のとれた眉毛を描くのに適したものである。
【背景技術】
【０００２】
従来より、多くの女性の願望に答えんと眉毛描き化粧の補助道具がある。最近、合成樹脂板を使い、頭部に固定されているものもあるが、描くのは手に持った筆によるものでしかなく、一回描くのに多くの合成樹脂板を用い何工程も消化しなくてはならない。この例として、特許文献１に開示されているものがある。
【特許文献１】特開２００１−９５６２２号公報
【発明の開示】
【発明が解決しようとする課題】
【０００３】
しかし、従来の補助具では眉毛の上端ラインの合成樹脂板を使い固定具にて固定し、眉に合わなければ次に眉毛の型抜きしてある合成樹脂板で両眉同時に合わせ、それでも合わなければ片方ずつというようにして描かなければならない。眉毛の上端ラインだけで眉を描くのは難しく、何工程もある作業では時間短縮したとは言えず、誰にでもわかりやすく短時間で描くことは不可能である。
【０００４】
特に人間の顔は人それぞれで、左右の顔が対称であることはありえないため、中心線を引くこともできず、眉の型は対称的に描きたいが、位置は移動がきくようにしたいという不都合が生じる。
【０００５】
眉毛を描きにくいのは、どこの何を基準として描いて良いのかがわからないためであり、従来の眉の化粧補助具はポイントとする場所が明確でないため作業性が悪く、各自気に入ったものが望めなかった。
【０００６】
その上、描く手段は筆しかないので部分的に濃い薄いが出てしまい、輪郭ははっきりしすぎてしまい違和感が感じられるという問題があった。
【０００７】
本発明は、かかる事情に鑑み、、眉毛を顔の中の他の部分とのバランスを考え位置づけをし、ほぼ左右均整になるよう簡単・明確でわかりやすい眉毛の化粧補助具、及び化粧方法を提供することを目的としている。
【課題を解決するための手段】
【０００８】
発明者は上記目的を達成するため、従来の化粧補助具を見直し、欠点解消に務め、その成果を具現化したものである。
【０００９】
すなわち、本発明は額に押し当てて使用され、フレーム状に形成された枠と、上記枠に左右両側よりスライド可能にはめ込まれた一対の板体と、上記一対の板体の所定位置に夫々形成された一対の眉毛型に型抜きされた開口部とを具備したことを特徴とする眉毛の化粧補助具である。
【００１０】
また、請求項１記載の化粧補助具において、上記一対の板体には、所定位置に目頭位置表示部が設けられていることを特徴とする眉毛の化粧補助具である。
【００１１】
さらに、請求項１記載の化粧補助具において、上記一対の板体には、目頭から眉頭をつなぐ位置表示部が設けられていることを特徴とする眉毛の化粧補助具である。
【００１２】
加えて、フレーム状に形成された枠の裏側の両端に頭部へ固定するための帯状の固定具を通す開口部を設け、頭部へ固定具にて固定することを特徴とする眉毛の化粧補助具である。
【００１３】
上記化粧補助具を使用し、一対の眉毛型に型抜きされた開口部へ直接スプレー式のものを用い、吹き付けて眉毛を描くということを特徴とする眉毛の化粧方法である。
【００１４】
本発明によれば、従来の化粧補助具や化粧方法の欠点が全て解消され、美しい眉毛を短時間で左右均整のとれた顔の一つのパーツとしてもバランスのとれた状態に仕上げることが可能となる。
【発明の効果】
【００１５】
本発明により従来の眉毛の化粧補助具の欠点であった多くの工程をはぶき、額に押し当てて頭部へ固定具にて固定し、基準を目頭位置表示部に合わせるだけでスライド式により決定できるので、わかりやすく短時間で簡単に描くことができ便利になった。
【００１６】
さらに、人間の顔には色々あり好みも人夫々なのだが、この発明により、眉と眉の間隔・眉と眼の間隔の微妙な違いを各自の好みにより、同時に変えることができるようになったため、違和感がなくなった。
【００１７】
その上、補助具が固定されていることにより、両手が開いている状態で眉毛の型抜きされた開口部へスプレーにより吹き付けができるので、色の濃さの調節もムラなく簡単に仕上げることが可能になった。
【発明を実施するための最良の形態】
【００１８】
以下、図面を参照して本発明の実施の形態を説明する。
まず発明者は、眉の化粧時間の短縮化を行った。それは図１の眉毛型8,8を夫々型抜きした板体1,1をフレーム状の枠2にはめ込み、左右動くようにしたため、目頭の位置表示部3に合わせてスライドすることができるので眉毛の位置を簡単に決めることができることである。従来、板体・枠などは、合成樹脂（プラスチック、塩化ビニール等）が多く使用される傾向にある。フレーム状の枠2には、はめ込むための溝9,10が設けられている。
【００１９】
さらに、眼と眉の間隔が気になる方は、目頭から眉頭をつなぐ位置表示部4のポイントに沿って眉の位置の高さが調整できるように設定されている。目頭のポイントは目立つ色（赤など）を使い、目頭から眉頭をつなぐポイント4は、少し目立たない色（青など）を使い色分けすると良い。
【００２０】
なお、フレーム状の枠は額のカーブに合わせて作られるため、やや厚めでも良く、板体は0.5mm以下が望ましい。フレーム状の枠の裏側の両端に固定具を通す開口部5,5があり、頭部への固定具である帯体のもの6を通し、帯体の調整をする治具7によって止められている。治具7を用いることにより、毎回の調整を必要とさせない。帯体6はゴム帯が望ましい。
【００２１】
眉毛型を型抜きした板体1,1は、透明又は半透明で良く、額に密着している時、眉毛の型抜きされている部分へ1〜3cm程度離した所からスプレーして吹き付けるとムラなく、きれいな眉が描けるのである。眼の悪い人でも支障なく行え、特に両手が開いた状態の作業のため迅速に美しく描けるものである。スプレーの容器は、手で握れる太さが好ましいので、直径2〜3cmが望ましい。
【産業上の利用可能性】
【００２２】
本発明に係る補助具は合成樹脂板などのため、工業的に量産することが可能であるため、産業上の利用可能性を有する。
【図面の簡単な説明】
【００２３】
【図１】本発明に係わる眉の化粧補助具の形態を表す正面図であり、眉毛型8,8を型抜きした板体1,1をフレーム状の枠2にはめ込み、左右α,αへスライド可能な状態を表している。
【図２】眉の化粧補助具の形態を表す前面図であり、フレーム状の枠2へ頭部へ固定する治具と補助具を設置した状態を表している。
【図３】フレーム状の枠2へ眉毛型の型抜きした板体1,1をフレーム状の枠の溝9,10へはめ込んだ状態の側面図である。
【符号の説明】
【００２４】
１．眉毛型を型抜きした板体
２．フレーム状の枠
３．目頭位置表示部
４．目頭から眉頭をつなぐ位置表示部
５．帯状の固定具を通す開口部
６．帯状の固定具
７．帯状の固定具を止める治具
８．眉毛型を型抜きしてある開口部
９．フレーム状の枠に設けた溝上部
10．フレーム状の枠に設けた溝下部
【図１】
2006247012.tif 000003
【図２】
2006247012.tif 000004
【図３】
2006247012.tif 000005